(57)【要約】      （修正有）【課題】吸湿性、紫外線吸収に優れ、手触りが良く、皮膚を保護する機能も優れている平面繭による不織布絹帽子の生産方法を提案する。【解決手段】本発明は、竹、樹皮、麻、葦、楮、蔦、籐などの天然繊維、レーヨン、ナイロン、ポリエチレン、ポリプロピレン、塩化ビニルなどの人造繊維を材料とし、加熱プレス、プレス冷却により、型崩れのないしっかりした骨格を有する素材の帽子型を提供する。  さらに、型崩れのない帽子型を緩速回転の営絹用のスタンドを用い、熟蚕による均一な吐糸を行い、帽子型表面にむらのない平面絹膜の不織布を形成する。【選択図】図８
2009024314.tif 000002
【特許請求の範囲】
【請求項１】
一面が帽子の形状に凸状に突出し、蒸気或いは電熱によって加熱する装置を有する金型と
一面が帽子の形状に凹状に窪み、冷媒或いは冷却装置によって急冷する機能を有する金型と
この二つの金型で、帽子材料を挟みプレスして圧着し、帽子型を整形することを特徴とする帽子型整形装置。
【請求項２】
０．５〜６ｍｍの細い竹、樹皮、麻、葦、楮、蔦、籐などの天然繊維、またはナイロン、レーヨン、アセテート、ポリエチレン、ポリプロピレン、塩化ビニル等の人造繊維を用いて、大きさの異なる多種用意した人頭形状の木型又は組木によって大きさを可変調節できる人頭型木型に添って帽子形状に編み上げ、帽子材料を加熱アイロン、小手によって木型へを押し当て加熱整形し、絹帽子の骨格となる帽子型を作成する方法。
【請求項３】
請求項２により、粗製作した竹、樹皮、麻、葦、楮、蔦、籐などの天然繊維の帽子型をさらに請求項１の凸状、凹状の二つの金型の間で帽子材料をプレスによって圧着し、素材に合わせて８０〜２５０℃の加熱によって素材を柔らかくして整形し、整形後０〜１５℃に急速冷却して素材を固め、型崩れしない天然繊維の帽子型を作成する方法。
【請求項４】
ナイロン、レーヨン、アセテート、ポリエチレン、ポリプロピレン、塩化ビニル等の人造繊維を用いて請求項２により、粗製作した多孔の帽子形状をさらに請求項１の凸状、凹状の二つの金型の間で帽子材料をプレスによって圧着し、加熱で素材を柔らかくして整形し、整形後急速冷却して素材をかため、型崩れしない型を作成し、仕上げに、ヤスリ、グラインダー、ブラッシング、その他の方法で蚕が取り付ける祖面の表面加工を施し、
表面が祖面で型崩れしない人造繊維の帽子型を作成する方法。
【請求項５】
請求項２、請求項３及び請求項４の方法によって、表面に細かい凸凹を有し、熟蚕が取り付くことが可能で、蚕の吐糸した糸が極めて付着し易い性状で、多様な帽子の形状を有し、表面に絹糸皮膜を付着させて絹帽子を作るための骨格となる帽子型。
【請求項６】
請求項５の帽子型をクラウン内側から捕捉固定し、或いはクラウン外側から挟んで固定し、帽子型の上へ蚕を載せ、手動或いはモーターでゆっくり回転させながら、蚕が上方へ移動する性質を利用して、蚕が帽子型全面に均質に絹糸皮膜の平面絹を作らせるための、水平及び傾斜営絹回転台。
【請求項７】
請求項５の帽子型及び請求項６の水平及び傾斜営絹回転台を用いて、蚕が上方へ移動する速度に合わせ、帽子型を手動或いはモーターでゆっくり回転させながら、帽子型外側上部及び内側下部、全面へ蚕に均質に吐糸させることを特徴とする平面繭による絹不織布展張方法。
【請求項８】
請求項７の方法によって、帽子型の外側上面、或いは内側下面両方に絹糸皮膜を形成させ、整形し、好みの染色を施すことを可能とすることを特徴とする平面繭による不織布絹帽子。
【発明の詳細な説明】
【技術分野】
【０００１】  平面繭は平面絹とも呼ばれ、熟蚕が簇に巣籠りし、糸を吐いて繭を作る段階で簇から取り出し、平らな物体上に載せると、物体面上に平らにランダムに糸を吐き、糸を膜状に展張した絹の不織布を言う。
本発明は平面繭による不織布絹帽子の生造方法に関する。
【背景技術】
【０００２】  従来、絹帽子の製作はシルクハットに見られるように布を帽子の型に切窃し、縫い合わせて帽子骨格と張り合わせ、整形する方法が大部分であった。
また、通常不織布による帽子は、一定の形状を保持するために、フェルトの帽子に見られるように、通気性の少ない厚手の素材が主体的に用いられた。
絹の不織布には、蚕による平面繭があるが、絹は高価な繊維で蚕糸業法等で使途が拘束された経緯もあり、その利用方法としては、せいぜい絹の団扇等、農家の趣味に基づく、身の回りの装飾品として内密に極く限定されて用いられたにすぎない。
蚕糸業法の拘束を受けなくなった現在においても、養蚕が減って繭供給者が限定され、熟蚕を活用した平面絹の新たな活用技術や製品も開発されていない。【０００３】  近年の屋外環境は、地球の温暖化により気温が高くなり、オゾンホールの出現など紫外線の照射が強くなる傾向がある。そのため屋外においては帽子着用の必要性が高まるが、現在の紫外線カット布は紫外線を反射させる生地が多く反射紫外線による他者への紫外線暴露が起こる。また、帽子の機能としては長時間帽子を着用しても、帽子の中が蒸れないことが必要である。平面絹は、高い通気性、吸湿性の機能があり、同時に紫外線を吸収してカットし、反射による他者への影響を起こさない素材である。【０００４】  帽子とは関係なく、絹と他の繊維を用いて不織布を製作する技術は、平成７年から平成１９年にかけて１６件ほどの出願が見られるが、いずれも絹と他の繊維の混紡による不織布の製造方法であり、本発明の目的とは関連がない。【０００５】  絹の帽子に関する最近の特許・実用新案の出願状況は、特許文献１及び特許文献２がある。特許文献１はレーヨン、アセテート、又はそれらの混合物と絹繊維を層状に不織布として生成し、帽子の内側に不織布を配設する技術が提案されている。
特許文献２は頭部背面の絹布垂れによって首の運動を阻害することなく後頭部から首筋を紫外線から防御することのできる紫外線遮断具を提案している。
この様に、これらの特許出願は、絹の帽子の素材製法や帽子の形状に関する特許で、本発明の不織布による絹帽子の製作技術及び工程に関与する出願ではない。【０００６】  平面絹による不織布の製造方法については、特許文献３、特許文献４が見られる。特許文献３は蚕幼虫を圧殺して液状絹を抽出分離して酸素を有する空間に放出させ、不織布状態の織物又は太さを任意に設定できる糸を得る人工的な不織布技術である。【０００７】  特許文献４は平面絹、不織布のしわにならない特性を生かして帯の横糸の代わりに織るため、接着剤で絹糸を固め、平らなテープ状の「箔」を生産する方法である。【０００８】    特許文献１：登録実用新案第３０７７１２４号
特許文献２：特開平８−２０９５１７号公報
特許文献３：特開平６−１８４８０９号公報
特許文献４：特開平１１−２２２７５５号公報【０００９】  絹織物は紫外線を吸収する機能があり、吸湿性も高いが密に織られた布では通気性が低い。帽子にするような薄手の絹織物は柔らかく、一定の形状を保つには芯となる物が必要であり、また、縫い目が外見でも判別される。
平面繭による絹の不織布は吸湿性、通気性双方とも高く、皺が生じ難く、縫い目も生じないが、蚕の吐糸による自然条件の平面絹は、均質な不織布の生産が難しいので、絹の団扇等に見られるような小物は趣味として作られるが、帽子の製作工程に応用した例は見られない。
【発明の開示】
【発明が解決しようとする課題】
【００１０】  本発明が解決しようとする課題は、絹の平面繭による不織布の帽子を作るに当たり、紫外線をカットする網目状の通気性の高い素材で帽子の骨格の帽子型を作り、帽子型を回転台の上に載せ、熟蚕の上に向かって行動する生活特性を応用し、回転台で帽子型を支えて静止とゆっくりの回転を組合せ帽子型上に効率良く熟蚕に吐糸させ、均質な平面絹による不織布の帽子をつくる技術を提案した。
製作された平面繭不織布の絹帽子は、表面が平面絹で覆われ、手触りが良く、吸湿性が良く、通気性も良く、紫外線カットの効果も高い帽子の製作が可能である。
【課題を解決するための手段】
【００１１】  具体的には、帽子の骨格となる帽子型を作る工程、回転台の上で様々な角度で帽子型を静止或いは回転させ、熟蚕に均一吐糸させる工程、帽子を整形する工程、帽子を染色する工程、帽子の庇周辺を整形する工程、の五つの工程から成っている。【００１２】  請求項１における帽子骨格の帽子型製作工程は、金型による加熱・冷却整形を伴う、素材としては、竹、樹皮、麻、葦、楮、蔦、籐などの天然繊維の場合とレーヨン、アセテート、ナイロン、ポリエチレン、ポリプロピレン、塩化ビニル等人造繊維の場合がある。【００１３】  第１図には、竹、樹皮、麻、葦、楮、蔦、籐などの天然繊維やレーヨン、アセテート、ナイロン、ポリエチレン、ポリプロピレン、塩化ビニルなどの人造繊維を用いて、アイロン、小手による、加熱整形するための人頭形状の木型を示した。【００１４】  第１図に示す人頭形状の木型は、頭の形状を上面から縦横それぞれを２分し、４つの木型として基盤プレート上に立ち、前後移動のスライダーと左右移動のスライダー上に固定している。木型全体のサイズは、頭部の縦径、横径及び頭囲を測定し、個人別の頭のサイズに合わせて、縦方向、横方向に移動調節させる。移動によって木型と木型の間に隙間を生じた場合は、頭の形に曲線面を有するスライスした木組を填め込んで、オーダーメイド用に個人別サイズの人頭形状木型を組み立てる。【００１５】  人頭形状の木型の構造を説明すると、人頭形状木型支持基盤１の上に人頭形状木型を組み立てる。２は人頭木型前後サイズ調整用移動スライダーレール、３は人頭木型左右サイズ調整用移動スライダーレールである。４は移動固定スライダーで、頭を前後左右の４つに縦割りした場合のそれぞれの移動支持台である。人頭形状木型は木型右前頭部５、木型左前頭部６、木型右後頭部７、木型左後頭部８に分かれる。
人頭木型を前後左右に移動させた場合に生ずる木型間の間隙は頭部左右幅調整調整用間隙填め木９及び頭部前後幅調整調整用間隙填め木１０で充たし、人頭形状の木型のぐらつきを防ぎ、安定させる。【００１６】  帽子型作成の仕上げには、第２図、第３図に示すように、内側の金型と外側の金型の２種類を同時に用いる。
帽子の整形は内側の金型と外側の金型の間に帽子型素材を挟んで加熱により繊維を柔らかくしてプレスし、金型を急速冷却させて変形させた繊維を固め、一定の形状に保つ素材に仕上げる。
従って、金型には縁なし帽、縁取り帽、菅笠状帽、広庇状帽、ゴルフ帽、野球帽等用途に合わせて多種類を用意する。【００１７】  第２図及び第３図には帽子型内側の金型を、第４図及び第５図には帽子型外側の金型を示した。
第２図には凸型の蒸気金型を示した。小型スチーマーから送られてくる加熱蒸気１１を蒸気開閉コック１２を開いて、蒸気を金型面に開口している蒸気噴出口１３より帽子材料に吹き付けて、素材を柔らかくし、スムースに凹型の金型ヘプレスハンドル１４を用いてプレスする。
第３図には凸型の電熱金型を示した。電源１５から温度調節装置１６によって金型面１７を素材の性質に合わせ、ヒーターで８０〜２５０℃に加熱し、帽子材料を加熱後素材を柔らかくし、整形をスムースにして凹型の金型ヘプレスハンドル１４を用いてプレスする。
第４図には凹型のチルド等冷媒装置付きプレス受け金型を示した。凸型の蒸気金型又は電熱金型と組み合わせて加熱プレス後、整形が十分になった時点で冷媒１８を冷媒開閉コック１９を開いてプレス面２０を急冷し、素材を硬化させる。冷媒は排出口２１から循環させる。
第５図には凹型の冷却装置付きプレス受け金型を示した。凸型の蒸気金型または電熱金型と組み合わせて加熱プレス後、整形が十分になった時点で電源２２を入れ冷却装置２３を作動させ、プレス面２３を急冷し、素材を硬化させる。【００１８】  天然繊維を用いる場合は、竹、樹皮、麻、葦、楮、蔦、籐などを０．５〜６ｍｍに細く裂き、熱を加えて柔らかくしながら、帽子の形に編み上げ、加熱・冷却を繰り返しながら、第６図、第７図に示すように金型でプレス加熱・冷却して帽子型に整形する。
これらの素材は表面に凹凸があって、蚕の足掛かりがあり、平面絹を作る上で絹糸が付着しやすい等の利点がある。
帽子型は、図８に示すように、縁なし帽、縁取り帽、菅笠状帽、広庇状帽、ゴルフ帽、野球帽等いずれにも適用される。【００１９】  人造繊維を用いる場合は、レーヨン、ナイロン、ポリエチレン、ポリプロピレン、塩化ビニル等の加熱すれば柔らかくなり、冷却すれば硬化する素材を用いる。
加工は、太い繊維を編み上げる場合、粗い目の布状、網状の素材の織物、または網目状に打ち抜いた穿孔シートを用いる場合があり、第６図、第７図に示すように加熱した金型上で帽子の形にプレスし、急速冷却して硬化させ帽子型に整形する。
試作等小規模の加熱整形は、凸型の金型の上で、アイロン、小手等を用いて整形するが、大量生産の整形においては凸凹の金型を用い連続的に整形する。
帽子の形に硬化した素材は、蚕が取り付きやすいようにヤスリ掛け或いはグラインダーを施し、表面を逆立て、微細なエッジを形成する。
帽子型は、図８に示すように、天然繊維の場合と同様、縁なし帽、縁取り帽、菅笠状帽、広庇状帽、ゴルフ帽、野球帽等いずれにも適用される。【００２０】  熟蚕が繭をつくるため糸を吐糸している状態を営繭と言うが、ここでは、熟蚕を繭の外に取り出して平面に吐糸させ、平面繭を作る場合を営絹と言う。
第９図及び第１０図には、熟蚕に平面繭を効率良く営絹させるため、帽子型を支持するスタンドの水平及び傾斜回転台を示した。
第９図は、帽子型を被った状態で内側から捕捉羽３０が開いて掴んで支え、帽子型の上外側に、平面繭を効率良く営絹させるための、帽子型を内側から固定する方式の外面営絹用のスタンドである。
外面営絹用のスタンドは固定台２４、基部スタンド２５、垂直・傾斜調整蝶番２６、緩速回転モーター２７、回転軸内包支持アーム２８、スプリングによる帽子型自動固定装置２９、帽子型拡張自動捕捉羽３０から成っている。
帽子型の固定は、開いた帽子型拡張自動把握羽２９を帽子型によって外から押し締める状態でしっかり台と接合させ、支持アーム２７を垂直に立てた状態、斜めに傾けた状態、横に倒した状態で、部所毎に熟蚕が平面絹を作りやすい条件設定を可能とする。【００２１】  第１０図は、帽子型を逆様に返した状態で外側から包んで支え、帽子型の内側及び下側に、平面絹を効率良く営絹させるための、帽子型を外側から挟み込む方式の内面営絹用のスタンドである。
内面営絹用のスタンドは支持台２４、基部スタンド２５、垂直・傾斜調整蝶番２６、緩速回転モーター２７、回転軸内包支持アーム２８、スプリングによる帽子型自動固定装置２９、帽子型を挟み込みホールドする自動把握羽３１から成っている。
帽子型の固定は、帽子型を外側からホールドする状態で、拡幅する自動把握羽３０で帽子型を包み込み、しっかり台に固定させ、支持アーム２７を垂直に立てた状態、斜めに傾けた状態、横に倒した状態で、部所毎に熟蚕が平面絹を作りやすい条件設定を可能とする。【００２２】  第１１図は、外面営絹用のスタンドを立てた状態で、帽子型の外側上部に営絹させている状態である。３２は営絹用帽子型、３３は営絹時吐糸する熟蚕の取り付き状況である。
第１２図は、外面営絹用のスタンドを横に倒した状態で、帽子型の外側上部に営絹させている状態である。３２は営絹用帽子型、３３は営絹時吐糸する熟蚕の取り付き状況である。回転させながら営絹する場合は、ゆっくりの操作であるので手動でも良い。
第１３図は、内面営絹用のスタンドを立てた状態で、帽子型の内側および下部に営絹させている状態である。３２は営絹用帽子型、３３は営絹時吐糸する熟蚕の取り付き状況である。【００２３】  帽子型に平面繭吐糸を終了した帽子は、それだけでも一応の製品となるが、嗜好・用途に合わせて、染色し、帽子縁取りの糸じまいを調整する等、染色・仕上げ工程を経て製品化する。
【発明の効果】
【００２４】  本発明は、竹、樹皮、麻、葦、楮、蔦、籐などの天然繊維、レーヨン、ナイロン、ポリエチレン、ポリプロピレン、塩化ビニルなどの人造繊維を材料とし、加熱プレス、プレス冷却により、型崩れのないしっかりした骨格を有する素材の帽子型を提供する。
さらに、型崩れのない帽子型を緩速回転の営絹用のスタンドを用い、熟蚕による均一な吐糸を行い、帽子型表面にむらのない平面絹膜の不織布を形成する。
絹は吸湿性、紫外線吸収に優れ、手触りが良く、皮膚を保護する機能が優れているので、多孔性の帽子型と組み合わせた絹帽子は、蒸れもなく、気持ちの良い衛生的な帽子を提供する。
また、絹は染色性に優れ、従来なかった平面絹による帽子は、優雅な高級品としての帽子の価値も高い。
【図面の簡単な説明】
【００２５】
【図１】帽子型作成用人頭形状木型
【図２】帽子型作成用凸型の蒸気プレス金型断面
【図３】帽子型作成用凸型の電熱プレス金型断面
【図４】帽子型作成用凹型のチルド等冷媒装置付きプレス受け金型断面
【図５】帽子型作成用凹型の冷却装置付きプレス受け金型断面
【図６】帽子型作成用蒸気加熱プレス・チルド等冷媒冷却の断面
【図７】帽子型作成用電熱加熱プレス・冷却装置による冷却の断面
【図８】帽子型の一例
【図９】表面営絹用のスタンド
【図１０】内面営絹用のスタンド
【図１１】表面営絹用のスタンドを立てた状態の営絹
【図１２】表面営絹用のスタンドを横に倒した状態の営絹
【図１３】内面営絹用のスタンドを立てた状態の営絹
【符号の説明】
１  人頭形状木型支持基盤
２  木型前後サイズ調整用移動スライダーレール
３  木型左右サイズ調整用移動スライダーレール
４  移動固定スライダー
５  木型右前頭部
６  木型左前頭部
７  木型右後頭部
８  木型左後頭部
９  頭部左右幅調整調整用間隙填め木
１０  頭部前後幅調整調整用間隙填め木
１１  凸型蒸気プレス金型への蒸気供給パイプ
１２  凸型蒸気プレス金型の蒸気開閉バルブ
１３  凸型蒸気プレス金型の蒸気噴射口を多数備えた加熱ブレス面
１４  凸型蒸気プレス金型のプレスハンドル
１５  凸型電熱プレス金型への電源供給コード
１６  凸型電熱プレス金型の温度調節装置
１７  凸型電熱プレス金型の電気ヒーター加熱面
１８  凹型のチルドプレス受け金型のチルド冷媒導入パイプ
１９  凹型のチルドプレス受け金型のチルド冷媒開閉バルブ
２０  凹型のチルドプレス受け金型のチルド冷却面
２１  凹型のチルドプレス受け金型のチルド冷媒循環パイプ
２２  凹型の冷却装置付きプレス受け金型の電源コード
２３  凹型の冷却装置付きプレス受け金型の冷却面
２４  帽子型営絹用水平及び傾斜回転台のスタンド支持台
２５  帽子型営絹用水平及び傾斜回転台の基部スタンド
２６  帽子型営絹用水平及び傾斜回転台の垂直・傾斜調整蝶番
２７  帽子型営絹用水平及び傾斜回転台の緩速回転モーター
２８  帽子型営絹用水平及び傾斜回転台の回転軸内包支持アーム
２９  帽子型営絹用水平及び傾斜回転台のスプリングによる帽子型自動固定装置
３０  帽子型営絹用水平及び傾斜回転台の帽子型拡張自動捕捉羽
３１  帽子型営絹用水平及び傾斜回転台の帽子型ホールド自動把握羽
３２  営絹用帽子型
３３  営絹時吐糸する熟蚕の取り付き状況
【図１】
2009024314.tif 000003
【図２】
2009024314.tif 000004
【図３】
2009024314.tif 000005
【図４】
2009024314.tif 000006
【図５】
2009024314.tif 000007
【図６】
2009024314.tif 000008
【図７】
2009024314.tif 000009
【図８】
2009024314.tif 000010
【図９】
2009024314.tif 000011
【図１０】
2009024314.tif 000012
【図１１】
2009024314.tif 000013
【図１２】
2009024314.tif 000014
【図１３】
2009024314.tif 000015